(57)【特許請求の範囲】
【請求項１】
第１の稜線部と、前記第１の稜線部から所定長さ延設されて対向する一対の第１、第２の傾斜部が設けられた第１のカム突起を有するスライダーが長手結合方向と直交する方向に弾性部材によりスライド移動自在に組み込まれた雌型コネクタに嵌合結合される雄型コネクタであって、
前記雄型コネクタは、所定本数の良導電性のコンタクトと、前記コンタクトが収容される電気絶縁性の雄型ハウジングとを備え、
前記雄型ハウジングは、該雄型ハウジングの外周壁面に、第２の稜線部と、前記第２の稜線部から所定長さで延設されて前記スライダーの第１の傾斜部に突き当たって摺接される第３の傾斜部と、前記第２の稜線部から所定長さ延設されて前記第２の傾斜部に摺接されて圧接保持される第４の傾斜部とを有する第２のカム突起が形成されており、
前記雌型コネクタに嵌合結合された状態にあっては、前記雄型ハウジングの前記第２のカム突起の前記第４の傾斜部が、前記スライダーの前記第１のカム突起の前記第２の傾斜部に前記弾性部材の復元力により押動されて、前記雄型ハウジングが結合方向に圧接保持されていることを特徴とする雄型コネクタ。
【請求項２】
前記第４の傾斜部は、前記第２の稜線部から所定長さ延設された第１の延設傾斜部と、前記第１の延設傾斜部より傾斜角度を大きくした角度で延設された第２の延設傾斜部とに区分されていることを特徴とする請求項１に記載の雄型コネクタ。
【請求項３】
前記第２のカム突起は、前記雄型ハウジングの外周壁面を所定高さ隆起させて上方頂部を平坦にして、周囲を前記第３、４の傾斜部とし平面視で略三角形の楔状突起で形成されていることを特徴とする請求項１又は２に記載の雄型コネクタ。
【請求項４】
請求項１〜３のいずれかに記載の雄型コネクタが嵌合結合される雌型コネクタであって、
前記雌型コネクタは、前記雄型コネクタのコンタクトと電気的に接触接続される所定本数の良導電性のコンタクトと、前記コンタクトが収容されると共に前記雄型ハウジングが嵌合される嵌合孔を有する電気絶縁性の雌型ハウジングと、前記雌型ハウジングに組み込まれるスライダーとを備え、
前記雌型ハウジングは、長手結合方向と直交する方向に前記嵌合孔に連通したスライダーの組込み孔が形成されて、
前記スライダーは、スライダー本体に第１の稜線部と、前記第１の稜線部から所定長さ延設されて前記雄型コネクタの第３の傾斜部が突き当たって摺接される第１の傾斜部と、前記第１の稜線部から所定長さ延設されて前記第４の傾斜部に摺接されて圧接保持される第２の傾斜部とを有する第１のカム突起が形成されて、前記スライダー本体が前記組込み孔に前記第１のカム突起が前記嵌合孔に向けて弾性部材によりスライド移動自在に装着されており、
前記雄型コネクタに嵌合結合された状態にあっては、前記スライダーの前記第１のカム突起の前記第２の傾斜部が、前記雄型ハウジングの前記第２のカム突起の前記第４の傾斜部を前記弾性部材の復元力により押動し、前記雄型ハウジングが結合方向に圧接保持されていることを特徴とする雌型コネクタ。
【請求項５】
前記第２の傾斜部は、前記第１の稜線部から所定長さ延設された第１の延設傾斜部と、前記第１の延設傾斜部より傾斜角度を大きくした角度で延設された第２の延設傾斜部とに区分されていることを特徴とする請求項４に記載の雌型コネクタ。
【請求項６】
前記第１のカム突起は、前記スライダー本体の壁面を所定高さ隆起させて上方頂部を平坦にして、周囲を前記第１、２の傾斜部とし平面視で略三角形の楔状突起で形成されていることを特徴とする請求項４又は５に記載の雌型コネクタ。
【請求項７】
請求項１〜３のいずれかの雄型コネクタと、請求項４〜６のいずれかの雌型コネクタとからなることを特徴とする電気コネクタ。
【発明の詳細な説明】
【技術分野】
【０００１】
本発明は、雄型コネクタ及び雌型コネク並びにこれらのコネクタからなる電気コネクタ
タに係り、さらに詳しくはこれらのコネクタの結合時に半嵌合状態を検知できる雄型コネクタ及び雌型コネクタ並びにこれらのコネクタからなる電気コネクタに関するものである。
【背景技術】
【０００２】
近年、自動車には、多数の電気、電子機器及びマイクロコンピュータなどが搭載されて、このマイクロコンピュータによって、これらの電気、電子機器が制御されるようになっている。これらの電気、電子機器は、ワイヤーハーネスやフラットケーブル等の接続線で接続されている。これらの接続線は、部品の組立てやメンテナンスなどを考慮して、接続が簡単でしかも取外しが自在な一対の雌雄コネクタを介して行われている。この種の雌雄コネクタは、様々なタイプのものが製品化されて使用されているが、結合不良が発生すると故障の原因となるので、これらの結合時にその結合状態、すなわち結合時に発生し易い不完全結合、いわゆる半嵌合状態を検知できるようにしたコネクタが提案されている。
【０００３】
例えば、下記特許文献１には、半嵌合状態の有無を検知できるようにしたコネクタの嵌合構造が開示されている。以下、図１０、図１１を参照して、この特許文献１に開示されているコネクタを説明する。なお、図１０は雌雄コネクタの分解斜視図、図１１は雌雄コネクタが結合された状態の断面図である。
【０００４】
このコネクタは、一対の雄型コネクタと雌型コネクタとからなり、結合時に半嵌合が検知できる嵌合構造となっている。一方の雄型コネクタ２０は、所定本数のソケットコンタクト２１（図１１参照）と、これらのソケットコンタクトが収容される端子収容室を有する雄型ハウジング２２とを備え、この雄型ハウジング２２は、前方が開口したコネクタハウジング２２Ａと、その上部にスライダー３０を摺動可能に装着するための専用ハウジング２２Ｂとで構成されている。専用ハウジング２２Ｂは、その両側端にスライダー本体の両側部を案内するガイド溝２３が設けられていると共に、該ガイド溝２３の後端に筒状のバネ収容部２２Ｃが設けられている。中央には嵌合方向に沿って可撓部材からなる片持ち型のロックアーム２４が一体的に設けられている。ロックアーム２４は、その上部に傾斜面を有するロックビーク２５を備え、その先端下部に雌型ハウジング４１に係止される係合突起からなるハウジングロック２６が設けられている。また、ハウジングロック２６に対峙した上部には、ロックアーム２４自体の変位を阻止するための変位防止突起２６ａが形成されている。このロックアーム２４は、両側にスライダーアームの当接突起を挿入するための側方空間２７ａが設けられている。
【０００５】
スライダー３０は、前方下部の両側端に一対の当接突起３４を有する片持ち型の可撓性を有するスライダーアーム３２がスライダー本体３１内の略中央に設けられており、上部後端に嵌合解除時に操作する押圧部３５と、スライダーアーム３２と押圧部３５に跨がって貫通したスライド溝３３と、下部後端の両側に圧縮バネ３８を保持するバネ受け部３６とを有している。また、スライダー本体３１の前端には、ロックアーム２４の変位を阻止するための変位防止部３７が形成されている。
【０００６】
このスライダー３０は、雄型コネクタ２０へ組付けられる。その組付けは、まず、雄型コネクタ２０の前方からスライダー収容部２７内に圧縮バネ３８が収容されて、スライダー３０が押し込まれる。この押し込みにより、スライダー３０のスライダーアーム３２の両側下端に設けられた当接突起３４がロックアーム２４の両側に設けられた側方空間２７ａ内に配置される。そして、バネ収容部２２Ｃ内に圧縮バネ３８が収容されると共に、スライダー３０のスライド溝３３内にロックアーム２４上のロックビーク２５が嵌まり込むことでスライダー３０が摺動可能な状態に装着される。これにより、スライダー３０は、圧縮バネ３８の反発力によって前方に付勢されて、押圧部３５の前端がスライド溝３３内のロックビーク２５に係止されると共に、ロックアーム２４先端の変位防止突起２６ａがスライダー３０前端下面の変位防止部３７に当接することでロックアーム２４の上方への変位が阻止される。
【０００７】
他方の雌型コネクタ４０は、所定本数のピンコンタクト４５（図１１参照）と、これらのコンタクトが収容される端子収容室を有する雌型ハウジング４１とを備え、この雄型ハウジングは、前方に開口したハウジング挿入口４６を備え、そのハウジング４１上の一面にコネクタ嵌合時にスライダー３０の当接突起３４に当接する一対のストッパ突起４２と、該ストッパ突起４２間にロックアーム２４を撓ませるための傾斜面を有する傾斜突起４３と、該傾斜突起４３の後端に係合突起であるハウジングロック２６を係合する係合溝４４が設けられている。
【０００８】
以下、雌型コネクタ４０に雄型コネクタ２０が嵌合結合される、その結合作用を説明する。雌型コネクタ４０に雄型コネクタ２０が差込まれると、雌型コネクタ４０のストッパ突起４２が雄型コネクタ２０のロックアーム２４両側の側方空間２７ａ内に挿入されて、ストッパ突起４２がスライダー３０の当接突起３４に当接する。この当接時点から圧縮バネ３８の反発力が発生する。なお、この段階では雄型コネクタ２０側のソケットコンタクト２１内には雌型コネクタ４０側のピンコンタクト４５は嵌挿されていない。さら差込まれると、圧縮バネ３８に抗してスライダー３０が後方へ押し込まれ、ロックアーム２４先端のハウジングロック２６が雌型コネクタ４０の傾斜突起４３に当接する。この段階でピンコンタクト４５はソケットコンタクト２１内に嵌挿されるが、電気的に完全な接触状態にはない。仮に、この半嵌合状態で押し込み動作を停止すると圧縮バネ３８の反発力で嵌合方向とは逆の離脱方向に双方の雌・雄型コネクタ４０、２０が押し戻されて、半嵌合状態であることが容易に検知できる。
【０００９】
次に、さらに差込まれると、スライダー３０のスライダーアーム３２がロックビーク２５により上方に撓まされることでストッパ突起４２とスライダー３０の当接突起３４との当接状態が解除される。そして、ロックアーム２４先端のハウジングロック２６が傾斜突起４３を乗り越えて係合溝４４内に落ち始める。圧縮バネ３８の反発力でスライダーアーム３２がストッパ突起４２を乗り越えると共に、ハウジングロック２６が係合溝４４内に係止される。これにより、スライダー３０は圧縮バネ３８の反発力により初期位置へ復帰し、スライダー３０の変位防止部３７がロックアーム２４の変位防止突起２６ａに当接する。これにより、ロックアーム２４はロックされて、雌雄型コネクタが完全嵌合状態となり、双方のコンタクトが完全に接続状態となる。この完全嵌合状態は、ロックアーム２４のハウジングロック２６が傾斜突起４３を乗り越えるときの感触によって検知することができると共に、復動したスライダー３０の位置を目視することで容易に検知することができる。
【先行技術文献】
【特許文献】
【００１０】
【特許文献１】特開平１０−５０４０８号公報（段落〔００２４〕〜〔００２９〕、図１）
【発明の概要】
【発明が解決しようとする課題】
【００１１】
上記特許文献１のコネクタによれば、結合時に、ロックアームのハウジングロックが傾斜突起を乗り越えるときの感触或いはスライダーの移動位置を目視することによって、半嵌合を検知できる。しかしながら、このコネクタを含めこの種のコネクタは、嵌合結合時に、半嵌合が検知されて完全嵌合されても、雌型コネクタ及び雄型コネクタの雌・雄ハウジングは堅固に結合されずに、両ハウジング間に若干の隙間Ｇ（図１１参照）が開く遊動状態で結合される。このような遊動結合は、コネクタに振動が加わると、嵌合方向、すなわち連結長手方向への若干のズレ、いわゆるガタツキが発生し、このガタツキにより雌雄コネクタのソケットコンタクトとピンコンタクトとの間で接触不良が発生する恐れがある。特に、この種のコネクタが自動車などの振動が多い車両などに使用されると、この接触不良が発生し、故障の一原因となり改良が必要となる。
【００１２】
そこで、本発明は、このような従来技術が抱える課題を解決するためになされたもので、本発明の目的は、雌雄コネクタの結合時に半嵌合状態を検知できて、結合後はコネクタハウジングの弛め止めがされるようにした耐震構造の雄型コネクタ及び雌型コネクタを提供することにある。
【００１３】
本発明の他の目的は、上記の目的を有する雄型コネクタと雌型コネクタとからなる電気コネクタを提供することにある。
【課題を解決するための手段】
【００１４】
上記目的を達成するために、請求項１に記載の雄型コネクタは、第１の稜線部と、前記第１の稜線部から所定長さ延設されて対向する一対の第１、第２の傾斜部が設けられた第１のカム突起を有するスライダーが長手結合方向と直交する方向に弾性部材によりスライド移動自在に組み込まれた雌型コネクタに嵌合結合される雄型コネクタであって、
前記雄型コネクタは、所定本数の良導電性のコンタクトと、前記コンタクトが収容される電気絶縁性の雄型ハウジングとを備え、
前記雄型ハウジングは、該雄型ハウジングの外周壁面に、第２の稜線部と、前記第２の稜線部から所定長さで延設されて前記スライダーの第１の傾斜部に突き当たって摺接される第３の傾斜部と、前記第２の稜線部から所定長さ延設されて前記第２の傾斜部に摺接されて圧接保持される第４の傾斜部とを有する第２のカム突起が形成されており、
前記雌型コネクタに嵌合結合された状態にあっては、前記雄型ハウジングの前記第２のカム突起の前記第４の傾斜部が、前記スライダーの前記第１のカム突起の前記第２の傾斜部に前記弾性部材の復元力により押動されて、前記雄型ハウジングが結合方向に圧接保持されていることを特徴とする。
【００１５】
また、請求項２に記載の発明は、請求項１に記載の雄型コネクタにおいて、前記第４の傾斜部は、前記第２の稜線部から所定長さ延設された第１の延設傾斜部と、前記第１の延設傾斜部より傾斜角度を大きくした角度で延設された第２の延設傾斜部とに区分されていることを特徴とする。
【００１６】
また、請求項３に記載の発明は、請求項１又は２に記載の雄型コネクタにおいて、前記第２のカム突起は、前記雄型ハウジングの外周壁面を所定高さ隆起させて上方頂部を平坦にして、周囲を前記第３、４の傾斜部とし平面視で略三角形の楔状突起で形成されていることを特徴とする。
【００１７】
また、請求項４に記載の雌型コネクタは、請求項１〜３のいずれかに記載の雄型コネクタが嵌合結合される雌型コネクタであって、
前記雌型コネクタは、前記雄型コネクタのコンタクトと電気的に接触接続される所定本数の良導電性のコンタクトと、前記コンタクトが収容されると共に前記雄型ハウジングが嵌合される嵌合孔を有する電気絶縁性の雌型ハウジングと、前記雌型ハウジングに組み込まれるスライダーとを備え、
前記雌型ハウジングは、長手結合方向と直交する方向に前記嵌合孔に連通したスライダーの組込み孔が形成されて、
前記スライダーは、スライダー本体に第１の稜線部と、前記第１の稜線部から所定長さ延設されて前記雄型コネクタの第３の傾斜部が突き当たって摺接される第１の傾斜部と、前記第１の稜線部から所定長さ延設されて前記第４の傾斜部に摺接されて圧接保持される第２の傾斜部とを有する第１のカム突起が形成されて、前記スライダー本体が前記組込み孔に前記第１のカム突起が前記嵌合孔に向けて弾性部材によりスライド移動自在に装着されており、
前記雄型コネクタに嵌合結合された状態にあっては、前記スライダーの前記第１のカム突起の前記第２の傾斜部が、前記雄型ハウジングの前記第２のカム突起の前記第４の傾斜部を前記弾性部材の復元力により押動し、前記雄型ハウジングが結合方向に圧接保持されていることを特徴とする。
【００１８】
また、請求項５に記載の発明は、請求項４に記載の雌型コネクタにおいて、前記第２の傾斜部は、前記第１の稜線部から所定長さ延設された第１の延設傾斜部と、前記第１の延設傾斜部より傾斜角度を大きくした角度で延設された第２の延設傾斜部とに区分されていることを特徴とする。
【００１９】
また、請求項６に記載の発明は、請求項４又は５に記載の雌型コネクタにおいて、前記第１のカム突起は、前記スライダー本体の壁面を所定高さ隆起させて上方頂部を平坦にして、周囲を前記第１、２の傾斜部とし平面視で略三角形の楔状突起で形成されていることを特徴とする。
【００２０】
また、請求項７に記載の電気コネクタは、請求項１〜３のいずれかの雄型コネクタと、請求項４〜６のいずれかの雌型コネクタとからなることを特徴とする。
【発明の効果】
【００２１】
請求項１の発明によれば、雄型コネクタは、雌型コネクタとの結合時に、雄型ハウジングの第２のカム突起が雌型コネクタの第１のカム突起に突き当り、この突き当り時の感触及びスライダー移動の目視により半嵌合状態の有無を検知できると共に、嵌合結合後は、第１、第２のカム突起が係合されて両コネクタのハウジングの弛め止めがされて、高い耐震性を備えたものとなる。
【００２２】
また、請求項２の発明によれば、第４の傾斜部が第２の稜線部から所定長さ延設された第１の延設傾斜部と、この第１の延設傾斜部より傾斜角度を大きくした角度で延設された第２の延設傾斜部とに区分されているので、両コネクタの嵌合結合後は、第１、第２のカム突起の係合がより強固にされて両コネクタのハウジングの弛め止めがより強くなる。
【００２３】
また、請求項３の発明によれば、第２のカム突起を雄型ハウジングの外周壁面に簡単に作成できる。
【００２４】
また、請求項４の発明によれば、雌型コネクタは、雄型コネクタとの結合時に、雌型ハウジングの第１のカム突起が雄型コネクタの第２のカム突起に突き当り、この突き当り時の感触及びスライダー移動の目視により半嵌合結合状態の有無を検知できると共に、嵌合結合後は、第１、第２のカム突起が圧接保持されて両コネクタのハウジングの弛め止めがされて高い耐震性が実現できる。
【００２５】
また、請求項５の発明によれば、第２の傾斜部が第１の稜線部から所定長さ延設された第１の延設傾斜部と、この第１の延設傾斜部より傾斜角度を大きくした角度で延設された第２の延設傾斜部とに区分されているので、両コネクタの嵌合結合後は、第１、第２のカム突起の係合がより強固にされて両コネクタのハウジングの弛め止めがより強くなる。
【００２６】
また、請求項６の発明によれば、第１のカム突起をスライダー本体壁面に簡単に作成できる。
【００２７】
また、請求項７の発明によれば、高い耐震性を備えた電気コネクタを得ることができる。
【図面の簡単な説明】
【００２８】
【図１】図１は本発明の実施形態に係る電気コネクタを構成する雌型コネクタと雄型コネクタとを結合した状態の斜視図である。
【図２】図２は図１の電気コネクタの分解斜視図である。
【図３】図３は雌型コネクタを示し、図３Ａは斜視図、図３Ｂ正面図、３Ｃは背面図である。
【図４】図４は図３ＢのIV−IV線の断面図である。
【図５】図５はスライダーの斜視図である。
【図６】図６Ａはスライダーの背面図、図６Ｂは一側面図である。
【図７】図７は雄型コネクタを示し、図７Ａは雄型コネクタの斜視図、図７Ｂは正面図、図７Ｃは背面図である。
【図８】図８は雌型コネクタと雄型コネクタとの結合過程を示した外観斜視図である。
【図９】図９は図８の結合過程に対応した断面図である。
【図１０】図１０は従来技術の雌雄コネクタの分解斜視図である。
【図１１】図１１は図１０の雌雄コネクタが結合された状態の断面図である。
【発明を実施するための形態】
【００２９】
以下、図面を参照して本発明の実施形態を説明する。但し、以下に示す実施形態は、本発明の技術思想を具体化するための雄型コネクタ及び雌型コネクタを例示するものであって、本発明をこれらに特定することを意図するものではなく、特許請求の範囲に含まれるその他の実施形態のものにも等しく適応し得るものである。以下の電気コネクタは、防水型のコネクタとなっているが、シール材等のない一般的な雄型コネクタ、雌型コネクタを削除するものではない。
【００３０】
［実施形態］
まず、図１、図２を参照して、本発明の実施形態に係る雄型コネクタ及び雌型コネクタの概要を説明する。なお、図１は本発明の実施形態に係る雌型コネクタと雄型コネクタとの結合状態を示した斜視図、図２は図１の雄型コネクタ及び雌型コネクタの分解斜視図である。
【００３１】
本発明の実施形態に係る電気コネクタ１は、図１、図２に示すように、一対の雌型コネクタ２と雄型コネクタ１１とで構成され、雌型コネクタ２及び雄型コネクタ１１にはそれぞれ電線が接続されている。一方の雌型コネクタ２は、雌型ハウジング４の外壁に設けた組込み孔６に弾性部材で付勢したスライダー８が組み込まれて、このスライダー８には、半嵌合状態を検知できると共に弛め止めをする第１のカム突起が形成されている。他方の雄型コネクタ１１は、スライダー８の第１のカム突起１０（図６参照）が突き当り係止される第２のカム突起１４（図７参照）が形成されている。なお、雌型コネクタ２及び雄型コネクタ１１に接続された電線にはそれぞれ防水用のシール部材１５ａが装着されている。このシール部材１５ａは公知のＯリングやパッキン等を用いることができる。
【００３２】
雄型コネクタ１１が雌型コネクタ２に差込まれると、スライダー８の第１のカム突起が雄型コネクタ１１の第２のカム突起に突き当たって、その感触及びスライダー８の移動を目視することによって半嵌合状態が検知できると共に、嵌合結合後は、雌雄両ハウジングが弛め止めされて、雌雄型両ハウジング内に収容されたコンタクトの良好な電気的な接触状態が維持される。以下、雌型コネクタ及び雄型コネクタの構成を詳述する。
【００３３】
図３、図４を参照して、雌型コネクタを説明する。なお、図３は雌型コネクタを示し、図３Ａは斜視図、図３Ｂは正面図、３Ｃは背面図、図４は図３ＢのIV−IV線の断面図である。雌型コネクタ２は、図３に示すように、所定本数のコンタクト３と、これらのコンタクトが収容される雌型ハウジング４と、この雌型ハウジングにスプリング７を介在してスライド移動自在に組み込まれるスライダー８とで構成されている。コンタクト３は、雄型コネクタ１１に装着されるコンタクトと接触されて電気的に接続されるものであって、雄型コネクタのコンタクトのタイプに合わせて、ソケット型又はピン型コンタクトのいずれかのコンタクトが選定される。このコンタクトは、良導電性の金属材料で作成されている。
【００３４】
雌型ハウジング４は、図３に示すように、前方に雄型コネクタ１１が差込まれると共にスライダー８が組み込まれるコネクタ結合部４Ａと、このコネクタ結合部から後方へ所定長さ延設されてコンタクト３に接続されたリード線が挿入されて支持されるリード線支持部４Ｂとからなり、電気絶縁性の合成樹脂成型体で形成されている。コネクタ結合部４Ａは、外周囲が略細長矩形状の上下壁４ａ、４ｂ及び左右の側壁４ｃ、４ｄで囲まれて内部に所定大きさの空間４Ｓが設けられた所定長の直方体形状の筒状体で形成されている。この雌型ハウジング４は、前方に開口４ｅを有し内部空間４Ｓの奥部が後壁４ｆで閉鎖されている。空間４Ｓは、コンタクト３が収容されて雄型コネクタ１１が差込まれる大きさになっている。この空間４Ｓは、前方の開口４ｅが雄型コネクタ１１の雄型ハウジング１３が差込まれる差込口となって、雄型コネクタ１１が嵌合結合される嵌合孔となっている。空間４Ｓ内には、側壁４ｃの内壁面にコイル状スプリング７の一端が固定される取付け突起４ｃ１が形成されている（図４参照）。
【００３５】
内壁の４隅には、それぞれ楔状溝４１が形成されている。これらの楔状溝４１には、雄型コネクタ１１との結合時に、該雄型コネクタの楔突起１３１（図７参照）が差込まれて、両雌雄コネクタの位置決め固定が堅固になる。また、この空間４Ｓ内には、コンタクト３が装着される棒状の内部突出部５Ａが設けられている。この内部突出部５Ａは、後壁４ｆから開口４ｅ方向へ所定長さ延設されたものとなっている。この内部突出部５Ａは、また、その長手方向にコンタクト３が装着される装着孔５１が形成されている。この装着孔５１は、後壁４ｆ及びリード線支持部４Ｂの外部突出部５Ｂを貫通した貫通孔となっている。
【００３６】
雌型ハウジング４は、また、上壁４ａが他の壁より肉厚に形成されて、上壁４ａと側壁４ｄとの角部に、スライダー８が組み込まれる組込み孔６が形成されている。この組込み孔６は、図２に示すように、角部近傍の側壁４ｄに設けた挿入口６ａと、この挿入口から他の側壁４ｃへ向かって上壁４ａを所定深さ切り欠いた形状の切欠き穴６ｂとで形成されている。この組込み孔６は、挿入口６ａに対向する一対のガイド溝６１と、第１のカム突起１０のガイド溝６２とを有し、空間４Ｓに連通している。この実施形態では、組込み孔６を上壁４ａと側壁４ｄとの角部に設けたが、他の側壁面に設けてもよい。この場合、その側壁を上壁と同様に肉厚にして組込み孔を設ける。
【００３７】
リード線支持部４Ｂは、図３、図４に示すように、後壁４ｆから外方へ所定長さ突出した棒状の外部突出部５Ｂからなり、この外部突出部５Ｂに装着孔５１に連通した貫通孔５２が形成されている。貫通孔５２は、コンタクト３を挿通し、このコンタクトに接続されたリード線が保持される大きさになっている。
【００３８】
図５、図６を参照して、スライダーを説明する。なお、図５はスライダー本体の斜視図、図６Ａはスライダー本体の背面図、図６Ｂは一側面図である。スライダー８は、図２、図５に示すように、組込み孔６内にスライド移動自在に装着されるスライダー本体８Ａを有している。なお、本実施形態では、スライダー８は、スライダー本体８Ａの１部品で形成されているので、このスライダー本体８Ａをスライダー８ともいうことがある。すなわちこのスライダーは、複数の部品を組み合わせて形成されてもよい。
【００３９】
スライダー本体８Ａは、前後壁８ａ、８ｂ、上下壁８ｃ、８ｄ及び左右の側壁８ｅ、８ｆを有し、組込み孔６内に挿入できる大きさの略矩形状をなし所定肉厚の駒状片からなり、合成樹脂成型体で形成されている。このスライダー本体８Ａは、上下壁８ｃ、８ｄのうち、上壁８ｃは、バネ収容孔を設けるためにその略中央部が所定高さ隆起している。前壁８ａには、その略中央部に所定深さのバネ収容孔９が形成されている。このバネ収容孔９は、後壁８ｂに向けて所定深さのトンネル孔となっている。このバネ収容孔９に、コイル状スプリング７が収容される。左右の側壁８ｅ、８ｆには、それぞれ片持ち型のロックアーム８ｅ１、８ｆ１が形成されている。これらの片持ち型ロックアーム８ｅ１、８ｆ１は、左右の側壁８ｅ、８ｆの前壁８ａ側が固定されて後部に所定の隙間８０をあけて外方へ延設した弾性腕片となっている。上壁８ｃは、後壁８ｂ側の一部が壁面から所定高さ隆起した摘み突起８ｃｂが形成されている。この摘み突起８ｃｂは、スライダー８を操作する操作部となっている。なお、このスライダーは、一つのバネ収容孔を設けたが、複数にしてもよい。複数にした場合、コイル状スプリングも複数になる。
【００４０】
下壁８ｄは、図６Ａに示すように、先端に鋭角な稜線部（以下、第１の稜線部という）を有し平面視で三角形形状のカム突起（以下、第１のカム突起という）１０が下壁表面を所定高さｈ隆起させた楔状突起で形成されている。この第１のカム突起１０は、後壁８ｂ面から延設された所定長さ（短辺）の底辺部ａと、この底辺部の両端から鋭角に延設した対向する一対の傾斜部（以下、第１、第２の傾斜部という）ｂ、ｃとを有し、これらの第１、第２の傾斜部ｂ、ｃが結合される頂部が鋭角な稜線部ｔとなっている。この第１のカム突起１０は、下壁８ｄ面から所定高さｈ隆起しているので、一対の第１、第２の傾斜部ｂ、ｃは高さｈに相当する幅長の傾斜面で形成されている。なお、第１のカム突起及び第１、第２の傾斜部は、後述する雄型コネクタの第２のカム突起及び第３、第４の傾斜部に対応させて区別し説明を容易にするために付けたものである。
【００４１】
これらの第１、第２の傾斜部ｂ、ｃのうち、第１の傾斜部ｂは、雄型コネクタ１１の第３の傾斜部が突き当たって摺動して、スライダー８を結合方向と直交する方向へスライド移動させるスライド摺動部となり、また、第２の傾斜部ｃは、稜線部ｔが雄型コネクタ１１の第２の稜線部ｔ'を超えた後に、コイル状スプリング７の復元力により、この第２の傾斜部ｃが第４の傾斜部ｃ'に接触し摺動して雄型コネクタ１１の雄型ハウジング１３を結合方向へ押動させて、この状態を維持して両コネクタのハウジングを弛み無くする弛み止め機能を果たす部分となっている。
【００４２】
この第２の傾斜部ｃは、図６Ａに示すように、稜線部ｔが雄型コネクタ１１の第２の稜線部ｔ'を超えた後に雌型コネクタ２の第４の傾斜部ｃ'の第１の延設傾斜部ｃ１'（図７Ａ参照）に接触し摺動する第１の延設傾斜部ｃ１と、この第１の延設傾斜部ｃ１の後方へ所定角度大きくし雄型コネクタ１１の雄型ハウジング１３を結合方向へ押動させる第２の延設傾斜部ｃ２とで構成されている。第２の延設傾斜部ｃ２の角度は、両ハウジング４、１３の隙間が発生しない角度に設定されている。第１のカム突起１０は、スライダー８をスライド移動させて半嵌合状態を検知できると共に、両ハウジング４、１３の弛め止め機能をも果たすので、半嵌合検知及び弛め止めの両機能を備えた突起となっている。このスライダー８は、スライダー本体８Ａが簡単な形状となっているので、作成が容易になる。また、作成に必要な金型も簡単な形状となりその価格を低減できる。
【００４３】
このスライダー８は、組込み孔６内に組み込まれる。この組込みは、コイル状スプリング７の一端を空間４Ｓ内の取付け突起４ｃ１に挿入し、他端をスライダー本体８Ａのバネ収容孔９に入れた状態にし、且つ第１のカム突起１０が空間４Ｓ内へ向けて一対の片持ち型のロックアーム８ｅ１、８ｆ１の弾性力に抗して組込み孔６へ押し込む。この押し込みにより、図４に示すように、一対の片持ち型のロックアーム８ｅ１、８ｆ１が復元して側壁４ｄの内壁面に当接して抜け止めされる。
【００４４】
スライダー８は、雌型ハウジング４に組み込まれて、雄型コネクタ１１の第２のカム突起１４（図７参照）と係合して、半嵌合の検知及び弛め止め機能を果たす部材であるが、雌型ハウジング４には、従来技術のように、バネ機構が不要となるので、ハウジングも簡単に作成できる。
【００４５】
図７を参照して、雄型コネクタを説明する。なお、図７は雄型コネクタを示し、図７Ａは雄型コネクタの斜視図、図７Ｂは正面図、図７Ｃは背面図である。雄型コネクタ１１は、図７に示すように、所定本数のコンタクト１２と、これらのコンタクト１２が収容される雄型ハウジング１３とを有し、雄型ハウジング１３の壁面に雌型コネクタ２の第１のカム突起１０に突き当たり雌型コネクタ２との間で半嵌合検知及び弛め止め作用を支援する第２のカム突起１４が形成されている。コンタクト１２は、雌型コネクタ２のコンタクト３の形状に合わせて、ソケット型又はピン型のコンタクトのいずれかとなっている。このコンタクトは、良導電性の金属材料で作成されている。
【００４６】
雄型ハウジング１３は、図７Ａに示すように、前方に雌型コネクタ２に差込まれるコネクタ差込部１３Ａと、このコネクタ差込部１３Ａから後方へ延出されてコンタクト１２に接続されたリード線を支持するリード線支持部１３Ｂとからなり、電気絶縁性の合成樹脂成型体で形成されている。コネクタ差込部１３Ａは、外周囲が矩形状の上下壁１３ａ、１３ｂ及び左右の側壁１３ｃ、１３ｄで囲まれて内部に所定大きさの空間１３Ｓを設けた所定長の直方体形状の筒状体で形成されている。この筒状体は、前方に開口１３ｅを有し空間１３Ｓの奥部が後壁１３ｆで閉鎖されている。空間１３Ｓ内は、コンタクト１２が収容されるようになっている。外壁の４隅には、それぞれ楔突起１３１が形成されている。こられの楔突起１３１は、雌型コネクタ２との結合時に、該雌型コネクタの楔状溝４１に差込まれて、両雌雄コネクタ２、１１の位置決め固定が堅固になる。
【００４７】
リード線支持部１３Ｂは、図７に示すように、後壁１３ｆから外方へ所定長さ突出した棒状の外部突出部１５からなり、この外部突出部１５に空間１３Ｓに連通した貫通孔が形成されている。この貫通孔は、コンタクト１２を挿通し、このコンタクト１２に接続されたリード線が保持される大きさになっている。
【００４８】
上壁１３ａは、図７Ａに示すように、先端に鋭角な頂部を有し平面視で三角形形状の第２のカム突起１４が上壁表面を所定高さ隆起させた略楔状突起で形成されている。このカム突起１４は、その隆起高さを第１のカム突起１０と略同じにし、この第１のカム突起１０と同じ或いは相似形にする。この形状にすることにより、作成が容易であると共に、見栄えがよくなる。
【００４９】
この第２のカム突起１４は、側壁１３ｃ面から延設された所定長さ（短辺）の底辺部ａ'と、この底辺部ａ'の両端から鋭角に延設した第３、第４の傾斜部ｂ'、ｃ'とを有し、第３、第４の傾斜部ｂ'、ｃ'が結合される頂部が第２の稜線部ｔ'となっている。この第２のカム突起１４は、上壁１３ａ面から所定高さ隆起しているので、これらの傾斜部ｂ'、ｃ'は高さに相当する幅長で形成されている。第３、第４の傾斜部ｂ'、ｃ'のうち、第３の傾斜部ｂ'は、雌型コネクタ２の第１の傾斜部ｂに突き当たって、第１の傾斜部ｂが摺動して、雌型コネクタ２に組み込まれたスライダー８を結合方向と直交する方向へスライド移動させるスライド摺動部となる。また、第４の傾斜部ｃ'は、第２の稜線部ｔ'が雌型コネクタ２の第１の稜線部ｔに当接した後に、スプリング７の復元力により、第２の傾斜部ｃを滑り落ちて、雄型コネクタ１１の雄型ハウジング１３を結合方向へ押動させて、この状態を維持して両コネクタ２，１１のハウジング４，１３を弛み無くする弛み止め機能を果たす部分となっている。
【００５０】
図８、図９を参照して、雌型コネクタと雄型コネクタとの結合作用を説明する。なお、図８は雌型コネクタと雄型コネクタとの結合過程を示した外観斜視図、図９は図８の結合過程に対応した断面図である。雌型コネクタ２と雄型コネクタ１１とは、非結合状態（図８Ａ、図９Ａ）から、順次、図８Ｂ〜図８Ｄに示す過程を経て嵌合結合される。非結合状態では、雌型コネクタ２に組み込まれたスライダー８の第１のカム突起１０は、雌型コネクタ２の長手方向の略中心部に位置している（図８Ａ、９Ａ参照）。雄型コネクタ１１が雌型コネクタ２に差込まれると、雄型コネクタ１１の第２のカム突起１４の第３の傾斜部ｂ'が雌型コネクタ２の第１のカム突起１０の第１の傾斜部ｂに突き当たって摺動し、この第１の傾斜部ｂが押動される。この第１の傾斜部ｂが押動されると、第１のカム突起１０は、図９Ｂに示すように、長手方向の中心部から雌型ハウジング４の側壁４ｄ側へ移動し、図８Ｂに示すように、この移動によりスライダー８が組込み孔６の内へ引っ込められる。この状態では、コンタクト３とコンタクト１２とは未だ完全に接続された状態になっていない。
【００５１】
雄型コネクタ１１が更に押し込まれると、図９Ｃに示すように、雄型コネクタ１１の第２のカム突起１４の第２の稜線部ｔ'と第１のカム突起１０の第１の稜線部ｔとがその頂部で当接する。このときコイル状スプリング７は、伸張状態から圧縮される。これらの稜線部ｔ、ｔ'の当接により、スライダー本体８Ａは、コイル状スプリング７の伸張力に抗して、図８Ｃ示すように、スライダー８が組込み孔６の内へ更に引っ込められる。雄型コネクタ１１がまた更に押し込まれると、図９Ｄに示すように、第２の稜線部ｔ'が第１の稜線部ｔから外れて、スライダー８はスプリング７の復元力により第２の傾斜部ｃが第４の傾斜部ｃ'へ滑り落ちる。このとき嵌合音が発生し、完全な嵌合状態へ移行したことを感知できる。これにより、雄型コネクタ１１の雄型ハウジングを結合方向へ押動させて完全な嵌合状態となり、両コンタクト１２とコンタクト３とが完全に接触接続される。
【００５２】
このとき、第２、第４の傾斜部ｃ、ｃ'には、それぞれ第１、第２の延設傾斜部ｃ１、ｃ２及びｃ１'、ｃ２'で形成されているので、第１の稜線部ｔが第１の稜線部ｔ'から外れた当初は、スライダー８はスプリング７の復元力により、第２の傾斜部ｃの第１の延設傾斜部ｃ１が第４の傾斜部ｃ'の第１の延設傾斜部ｃ１'を摺動及び圧接し、雄型コネクタ１１の雄型ハウジング１３を結合方向へ押動させ、続いて、第２の傾斜部ｃの第２の延設傾斜部ｃ２が第４の傾斜部ｃ'の第２の延設傾斜部ｃ２'を摺動及び乗り上げて雄型コネクタ１１の雄型ハウジング１３をさらに結合方向へ押動させて、堅固に嵌合結合される。
【００５３】
この嵌合結合は、スプリング７のバネ力により、維持されるので、雌型コネクタと雄型コネクタとが弛め止めされて、ガタツキが発生することがない。したがって、この嵌合結合の過程では、第１、第２のカム突起の係合により、嵌合感触及びスライダーの移動により、半嵌合を防止できると共に、嵌合後は、弛め止めされて、完全な嵌合状態が維持されて、両コネクタのコンタクトとの間で良好な電気的接続が保持されて、雌型コネクタと雄型コネクタとは耐震性を備えたものとなる。
【符号の説明】
【００５４】
１          電気コネクタ
２          雌型コネクタ
３          コンタクト
４          雌型ハウジング
４Ａ        コネクタ差込部
４Ｂ        リード線支持部
４Ｓ        空間（嵌合孔）
６          組込み孔
８          スライダー
７          コイル状スプリング（弾性部材）
１０        第１のカム突起
１１        雄型コネクタ
１２        コンタクト
１３        雄型ハウジング
１４        第２のカム突起
ｂ            第１の傾斜部
ｃ          第２の傾斜部
ｃ１        第１の延設傾斜部
ｃ２        第２の延設傾斜部
ｂ'        第３の傾斜部
ｃ'        第４の傾斜部
ｃ１'      第１の延設傾斜部
ｃ２'      第２の延設傾斜部
【図１】
0005527764.tif 000002
【図２】
0005527764.tif 000003
【図３】
0005527764.tif 000004
【図４】
0005527764.tif 000005
【図５】
0005527764.tif 000006
【図６】
0005527764.tif 000007
【図７】
0005527764.tif 000008
【図８】
0005527764.tif 000009
【図９】
0005527764.tif 000010
【図１０】
0005527764.tif 000011
【図１１】
0005527764.tif 000012